(57)【特許請求の範囲】
【請求項１】
配管を抱持するバンド抱持部と該バンド抱持部の上端部に連接されたバンド端部を有する配管支持具であって、壁面とこれに近接した天井面とから成るコーナー部の如き狭小スペースにおける配管支持が可能な配管支持具において、
前記バンド抱持部の両側の略中央部の各々から、前記バンド抱持部の少なくとも一部を横方向外側に少なくとも２枚重ねの重層状態で各々突出させることにより第１支持固定片部と第２支持固定片部とが設けられており、
前記バンド端部、前記第１支持固定片部、前記第２支持固定片部の各々には、吊りボルトや支持杆の如き支持部材を係合可能な透孔が形成されており、
更に、配管支持箇所の支持条件に応じて、前記バンド端部、前記第１支持固定片部、前記第２支持固定片部から選ばれる１つ〜３つに、吊りボルトや支持杆の如き支持部材を取付固定することにより配管支持が可能な構成であり、
更に、前記第１支持固定片部及び第２支持固定片部の各々が、
前記バンド抱持部の略中央部より上方部分を該略中央部を基点として切起すことにより横方向外側に延伸する上方側支持固定片部を形成し、
且つ、前記バンド抱持部の略中央部より下方部分を該略中央部を基点として切起すことにより横方向外側に延伸する下方側支持固定片部を形成し、
この横方向外側に切起した上方側支持固定片部と下方側支持固定片部とを重ねることにより重層状態に形成した構成であることを特徴とする配管支持具。
【請求項２】
前記上方側支持固定片部と下方側支持固定片部との重合した部分をスポット溶接の如き補強手段を用いて補強した構成であることを特徴とする請求項１に記載の配管支持具。
【発明の詳細な説明】
【技術分野】
【０００１】
本発明は配管支持具に関し、詳しくは壁面と天井面とのコーナー部の如き狭小スペースであっても自由度を持って配管支持できる配管支持具に関する。
【背景技術】
【０００２】
建築物の改修工事等において配管設備を新設するに際し、既設の老朽化した配管設備をそのまま残した状態とする場合には、壁面と天井面との狭小スペースに既設されている配管を逃げた状態で新規な配管を施工することになる。
【０００３】
このような狭小スペースにおける配管は、配管自体の設置スペースの確保に加えて配管支持具の設置スペースの確保が極めて困難であるという問題点を有している。
【０００４】
そこで、天井からの吊下支持に加えて壁面からの立上支持等の支持手段を用いた配管支持が行われている（特許文献１参照）。
【先行技術文献】
【特許文献】
【０００５】
【特許文献１】特開２０１５−０３４６０８号
【発明の概要】
【発明が解決しようとする課題】
【０００６】
特許文献１に記載の技術は、バンド抱持部の両側の略中央部の外周面に断面Ｌ字状の支持固定片部を固着した構成、又は、バンド抱持部の両側の略中央部の一部を片方向に切起すことにより支持固定片部を形成した構成、を有する技術である。
【０００７】
しかしこの技術では、ウォーターハンマー現象等によって配管に振動負荷が掛かった場合等に固着箇所が損傷乃至は剥落する惧れがあり、また、支持固定片部の強度が不充分である、等の問題点を有している。
【０００８】
そこで本発明の課題は、狭小スペースにおける配管支持の自由度が高く、しかも充分な強度が得られる配管支持具を提供することにある。
【課題を解決するための手段】
【０００９】
上記課題を解決する本発明は下記構成を有する。
【００１０】
１．配管を抱持するバンド抱持部と該バンド抱持部の上端部に連接されたバンド端部を有する配管支持具であって、壁面とこれに近接した天井面とから成るコーナー部の如き狭小スペースにおける配管支持が可能な配管支持具において、
前記バンド抱持部の両側の略中央部の各々から、前記バンド抱持部の少なくとも一部を横方向外側に少なくとも２枚重ねの重層状態で各々突出させることにより第１支持固定片部と第２支持固定片部とが設けられており、
前記バンド端部、前記第１支持固定片部、前記第２支持固定片部の各々には、吊りボルトや支持杆の如き支持部材を係合可能な透孔が形成されており、
更に、配管支持箇所の支持条件に応じて、前記バンド端部、前記第１支持固定片部、前記第２支持固定片部から選ばれる１つ〜３つに、吊りボルトや支持杆の如き支持部材を取付固定することにより配管支持が可能な構成であり、
更に、前記第１支持固定片部及び第２支持固定片部の各々が、
前記バンド抱持部の略中央部より上方部分を該略中央部を基点として切起すことにより横方向外側に延伸する上方側支持固定片部を形成し、
且つ、前記バンド抱持部の略中央部より下方部分を該略中央部を基点として切起すことにより横方向外側に延伸する下方側支持固定片部を形成し、
この横方向外側に切起した上方側支持固定片部と下方側支持固定片部とを重ねることにより重層状態に形成した構成であることを特徴とする配管支持具。
【００１４】
２．前記上方側支持固定片部と下方側支持固定片部との重合した部分をスポット溶接の如き補強手段を用いて補強した構成であることを特徴とする上記１に記載の配管支持具。
【００１５】
尚、本発明において、上方ないし下方、上端ないし下端とは、天地という絶対的意義ではなく、環状バンド抱持部における相対的意義であり、施工態様によっては、天地逆さの位置や水平方向の位置になることがある。
【発明の効果】
【００１６】
請求項１に示す発明によれば、狭小スペースにおける配管支持の自由度が高く、しかも充分な強度が得られる配管支持具を提供することができる。
【００１７】
特に、第１支持固定片部と第２支持固定片部とは、各々が少なくとも２枚重ねの重層状態で設けられた構成であるため、充分な強度を得ることができる。
【００１８】
請求項２に示す発明によれば、バンド抱持部の一部を折曲げて重ねることにより重層状態に形成した構成により、バンド抱持部の強度を落とすことなく、高強度の第１支持固定片部及び第２支持固定片部を得ることができる。しかも、第１支持固定片部及び第２支持固定片部は、バンド抱持部を部分的に折曲げただけで加工可能なので、別部材を付加することもないし、切り取り加工等によって廃棄が必要となる部材も生じることもなく、低コスト化が可能なだけでなく、環境適正にも優れている。
【００１９】
請求項３に示す発明によれば、第１支持固定片部及び第２支持固定片部の強度を更に向上させることができる。
【００２０】
請求項４に示す発明によれば、第１支持固定片部及び第２支持固定片部の各々が切起した２枚を重ねることにより重層状態に形成した構成なので、充分な強度を得ることができる。しかも、第１支持固定片部及び第２支持固定片部は、バンド抱持部を部分的に切起しただけで加工可能なので別部材を付加することもないし、切り取り加工等によって廃棄が必要となる部材も生じることもなく、低コスト化が可能なだけでなく、環境適正にも優れている。
【００２１】
請求項５に示す発明によれば、第１支持固定片部及び第２支持固定片部の強度を更に向上させることができる。
【図面の簡単な説明】
【００２２】
【図１】本発明に係る配管支持具の第１一実施例を示す４面図（正面図、平面図、底面図、左側面図）
【図２】図１の配管支持具の第１支持固定片部の他の一例を示す要部拡大平面図
【図３】図１に示す配管支持具の使用例の一例を示す概略正面図
【図４】図１に示す配管支持具の使用例の一例を示す概略正面図
【図５】図１に示す配管支持具の使用例の一例を示す概略正面図
【図６】図１に示す配管支持具の使用例の一例を示す概略正面図
【図７】本発明に係る配管支持具の第２実施例を示す５面図（正面図、平面図、底面図、左側面図、Ａ−Ａ線断面図）
【図８】図７の配管支持具の第１支持固定片部の他の一例を示す要部拡大平面図
【発明を実施するための形態】
【００２３】
次に、添付の図面に従って本発明を詳細に説明する。
【００２４】
本発明に係る配管支持具は、建築物の改修工事等において、壁面と天井面とのコーナー部の如き狭小スペースであって、しかも既設の老朽化した配管設備等をそのまま残した状態で新規な配管設備を自由度を持って設置することができるものである。
【００２５】
先ず、図１〜図６に基き、本発明の配管支持具の第１実施例について説明する。
【００２６】
本発明の配管支持具１は、配管（図示を省略）を抱持するバンド抱持部２と該バンド抱持部２の上端部に連接されたバンド端部３を有し、壁面Ｈとこれに近接した天井面Ｔとから成るコーナー部の如き狭小スペースにおける配管支持が可能なものである。
【００２７】
更に、バンド抱持部２の両側の略中央部の各々から、前記バンド抱持部２の少なくとも一部を横方向外側に少なくとも２枚重ねの重層状態で各々突出させることにより第１支持固定片部４と第２支持固定片部５とが設けられており、
前記バンド端部３、前記第１支持固定片部４、前記第２支持固定片部５の各々には、吊りボルトや支持杆の如き支持部材７を係合可能な透孔３Ａ・４Ａ・５Ａが形成されており、
配管支持箇所の支持条件に応じて、前記バンド端部３、前記第１支持固定片部４、前記第２支持固定片部５から選ばれる１つ〜３つに、吊りボルトや支持杆の如き支持部材７を取付固定することにより配管支持が可能な構成である。
【００２８】
尚、バンド抱持部２及びバンド端部３を有して成る配管支持具１の基本構成は、この種の配管支持バンドとして公知公用の構成及び素材を有する種々使用のものを特別の制限なく挙げることができ、バンド抱持部２の下端に設けられた接続部６についても蝶番式でもよいし組式でもよい。尚また、接続部の無い所謂提灯式のバンド抱持部を有する配管支持具についても本発明に包含される。
【００２９】
第１支持固定片部４及び第２支持固定片部５の各々は、図１に示すように、バンド抱持部２の両側の略中央部が横方向外側に突出するように折曲げて重ねることにより重層状態に形成した構成となっている。即ち、バンド抱持部２を形成する際に、両端のバンド端部３・３の長さと、抱持する配管の外径に相当する円周分の長さに加えて、第１支持固定片部４の２倍の長さ分、第２支持固定片部５の２倍の長さ分、の板状材を曲げ加工することにより図１に示す配管支持具１を得ることができる。
【００３０】
第１実施例に示す配管支持具１によれば、第１支持固定片部４と第２支持固定片部５とは、バンド抱持部２の一部を折曲げて重ねることにより重層状態に形成した構成により、バンド抱持部２の強度を落とすことなく、高強度の第１支持固定片部４及び第２支持固定片部５を得ることができる。しかも、第１支持固定片部４及び第２支持固定片部５は、バンド抱持部２を部分的に折曲げただけで加工可能なので、別部材を付加することもないし、切り取り加工等によって廃棄が必要となる部材も生じることもなく、低コスト化が可能なだけでなく、環境適正にも優れている。
【００３１】
第１支持固定片部４及び第２支持固定片部５の強度を更に向上させるために、折曲重合した部分をスポット溶接の如き補強手段を用いて補強した構成とすることが好ましい。図２に示す態様はスポット溶接した場合のスポット溶接部８を示している。
【００３２】
以上の構成を有する本発明の配管支持具１は、例えば、図３〜図６に示すように、壁面Ｈと天井面Ｔとのコーナー部の如き狭小スペースであっても自由度を持って配管支持できる。
【００３３】
本発明の配管支持具１によれば、建築物の改修工事等において配管設備を新設するに際し、既設の老朽化した配管設備をそのまま残した状態とする場合であって、壁面Ｈと天井面Ｔとの狭小スペースに既設されている配管を逃げた状態であっても、新規な配管の施工が可能であり、施工箇所の支持条件に応じて、バンド端部３、第１支持固定片部４、第２支持固定片部５から選ばれる１つ〜３つ（図３〜図６に示す実施例では２つ）に、吊りボルトや支持杆の如き支持部材７をナット等の固定手段を用いて取付固定することにより配管支持が可能である。
【００３４】
尚、上記実施例では、第１支持固定片部４及び第２支持固定片部５は２枚を重ねた状態に折曲げた構成であるが、本発明は２枚の重層状態に限定されず、更に一段階以上折り曲げた４枚の重層状態或いはそれ以上の重層状態とすることもできる。
【００３５】
また、図３〜図６に示す態様では、２本の支持部材７によって天井面Ｔから吊下げる支持すると共に壁面Ｈから立ち上げ支持した構成としているが、施工箇所の支持条件によっては、１本の支持部材７の場合や３本の支持部材７による支持構成については本発明に包含される。
【００３６】
更に、本発明の配管支持具１が適用される狭小スペースは天井面Ｔに限らず、床面からの立ち上げ支持構成、スラブに穿設された配管孔を貫通配管する支持構成、等にも適用可能である。
【００３７】
次に、図７及び図８に基き、本発明の配管支持具の第２実施例について説明する。
【００３８】
第２実施例の配管支持具１は、第１支持固定片部４と第２支持固定片部５の形成構成が第１実施例とは相違している。その他の基本的構成は、接続部６の無い提灯式のバンド抱持部３を採用している以外はバンド端部２、透孔３Ａ・４Ａ・５Ａ等は上記した第１実施例と同様である。以下、相違する構成を主に説明する。
【００３９】
第１支持固定片部４及び第２支持固定片部５の各々は、図７に示すように、バンド抱持部２の略中央部より上方部分を該略中央部を基点として切起すことにより横方向外側に延伸する上方側支持固定片部４Ｂ・５Ｂを形成し、且つ、バンド抱持部２の略中央部より下方部分を該略中央部を基点として切起すことにより横方向外側に延伸する下方側支持固定片部４Ｃ・５Ｃを形成し、この横方向外側に切起した上方側支持固定片部４Ｂ・５Ｂと下方側支持固定片部４Ｄ・５Ｄとを各々重ねることにより重層状態に形成した構成となっている。
【００４０】
図７において、符号４Ｄは第１支持固定片部４の上方側支持固定片部４Ｂの被切起し孔部、符号４Ｅは第１支持固定片部４の下方側支持固定片部４Ｃの被切起し孔部、符号５Ｄは第２支持固定片部５の上方側支持固定片部５Ｂの被切起し孔部、符号５Ｅは第２支持固定片部５の下方側支持固定片部５Ｂの被切起し孔部、を各々示す。
【００４１】
また、上記第１実施例と同様に、第１支持固定片部４及び第２支持固定片部５の強度を更に向上させるために、切起し重合した部分をスポット溶接の如き補強手段を用いて補強した構成とすることが好ましい。図８に示す態様はスポット溶接した場合のスポット溶接部８を示している。
【符号の説明】
【００４２】
１  配管支持具
２  バンド抱持部
３  バンド端部
３Ａ  透孔
４  第１支持固定片部
４Ａ  透孔
４Ｂ  上方側支持固定片部
４Ｃ  下方側支持固定片部
４Ｄ  被切起し孔部
４Ｅ  被切起し孔部
５  第２支持固定片部
５Ａ  透孔  
５Ｂ  上方側支持固定片部
５Ｃ  下方側支持固定片部
５Ｄ  被切起し孔部
５Ｅ  被切起し孔部
６  接続部
７  支持部材
８  スポット溶接部
Ｈ  壁面
Ｔ  天井面
【要約】
【目的】狭小スペースにおける配管支持の自由度が高く、しかも充分な強度が得られる配管支持具を提供する。
【構成】配管を抱持するバンド抱持部とバンド端部を有する配管支持具であって、狭小スペースにおける配管支持が可能な配管支持具において、
バンド抱持部の両側の略中央部の各々から、バンド抱持部の少なくとも一部を横方向外側に少なくとも２枚重ねの重層状態で各々突出させることにより第１支持固定片部と第２支持固定片部とが設けられており、
バンド端部、第１支持固定片部、第２支持固定片部の各々には、吊りボルトや支持杆の如き支持部材を係合可能な透孔が形成されており、
更に、配管支持箇所の支持条件に応じて、バンド端部、第１支持固定片部、第２支持固定片部から選ばれる１つ〜３つに、吊りボルトや支持杆の如き支持部材を取付固定することにより配管支持が可能な構成である。
【選択図】        図１【図１】
0005990806.tif 000002
【図２】
0005990806.tif 000003
【図３】
0005990806.tif 000004
【図４】
0005990806.tif 000005
【図５】
0005990806.tif 000006
【図６】
0005990806.tif 000007
【図７】
0005990806.tif 000008
【図８】
0005990806.tif 000009